【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
画像の表示領域内で指定された位置に応じてカメラの撮影方向を制御する制御手段と、
前記画像の表示領域内で指定された位置に応じて前記制御手段により前記カメラの撮影方向を制御するか否かを、現在のズーム比率または鏡筒部の最小移動量の何れかに応じて判断する判断手段とを有することを特徴とするカメラ制御装置。
【請求項２】
画像の表示領域内で指定された位置に応じてカメラの撮影方向を制御する制御手段と、
前記画像の表示領域内で指定された位置に応じて前記制御手段により前記カメラの撮影方向を制御するか否かを、現在のズーム比率に応じて判断する判断手段とを有することを特徴とするカメラ制御装置。
【請求項３】
画像の表示領域内で指定された位置に応じてカメラの撮影方向を制御する制御手段と、
前記画像の表示領域内の任意の位置の指定に応じて前記制御手段により前記カメラの撮影方向を制御するか否かを、現在のズーム比率または鏡筒部の最小移動量の何れかに応じて判断する判断手段と、
前記画像の表示領域内の任意の位置の指定に応じて前記制御手段により前記カメラの撮影方向を制御しないと前記判断手段が判断した場合、指定された場合に指定された位置を中央とする画像を撮影するように前記制御手段が前記カメラの撮影方向を制御できる特定の位置を前記画像に重畳表示する表示手段とを有することを特徴とするカメラ制御装置。
【請求項４】
画像の表示領域内で指定された位置に応じてカメラの撮影方向を制御する制御手段と、
前記画像の表示領域内の任意の位置の指定に応じて前記制御手段により前記カメラの撮影方向を制御するか否かを、現在のズーム比率または鏡筒部の最小移動量の何れかに応じて判断する判断手段と、
前記画像の表示領域内の任意の位置の指定に応じて前記制御手段により前記カメラの撮影方向を制御しないと前記判断手段が判断した場合、指定された場合に指定された位置を中央とする画像を撮影するように前記制御手段が前記カメラの撮影方向を制御できる位置とできない位置とで、前記位置を指定するためのポインタの形状を変化させるポインタ制御手段とを有することを特徴とするカメラ制御装置。
【請求項５】
前記判断手段は、前記画像の表示領域内で指定された位置に応じて前記制御手段により前記カメラの撮影方向を制御するか、または画像切り出し位置を変更するかを、現在のズーム比率または鏡筒部の最小移動量の何れかに応じて判断することを特徴とする請求項１に記載のカメラ制御装置。
【請求項６】
画像の表示領域内で指定された位置に応じてカメラの撮影方向を制御する制御工程と、
前記画像の表示領域内で指定された位置に応じて前記制御工程で前記カメラの撮影方向を制御するか否かを、現在のズーム比率または鏡筒部の最小移動量の何れかに応じて判断する判断工程とを有することを特徴とするカメラ制御方法。
【請求項７】
画像の表示領域内で指定された位置に応じてカメラの撮影方向を制御する制御工程と、
前記画像の表示領域内で指定された位置に応じて前記制御工程で前記カメラの撮影方向を制御するか否かを、現在のズーム比率に応じて判断する判断工程とを有することを特徴とするカメラ制御方法。
【請求項８】
画像の表示領域内で指定された位置に応じてカメラの撮影方向を制御する制御工程と、
前記画像の表示領域内の任意の位置の指定に応じて前記制御工程で前記カメラの撮影方向を制御するか否かを、現在のズーム比率または鏡筒部の最小移動量の何れかに応じて判断する判断工程と、
前記画像の表示領域内の任意の位置の指定に応じて前記制御工程で前記カメラの撮影方向を制御しないと前記判断工程で判断した場合、指定された場合に指定された位置を中央とする画像を撮影するように前記制御工程で前記カメラの撮影方向を制御できる特定の位置を前記画像に重畳表示する表示工程とを有することを特徴とするカメラ制御方法。
【請求項９】
画像の表示領域内で指定された位置に応じてカメラの撮影方向を制御する制御工程と、
前記画像の表示領域内の任意の位置の指定に応じて前記制御工程で前記カメラの撮影方向を制御するか否かを、現在のズーム比率または鏡筒部の最小移動量の何れかに応じて判断する判断工程と、
前記画像の表示領域内の任意の位置の指定に応じて前記制御工程で前記カメラの撮影方向を制御しないと前記判断工程で判断した場合、指定された場合に指定された位置を中央とする画像を撮影するように前記制御工程で前記カメラの撮影方向を制御できる位置とできない位置とで、前記位置を指定するためのポインタの形状を変化させるポインタ制御工程とを有することを特徴とするカメラ制御方法。
【請求項１０】
前記判断工程は、前記画像の表示領域内で指定された位置に応じて前記制御工程で前記カメラの撮影方向を制御するか、または画像切り出し位置を変更するかを、現在のズーム比率または鏡筒部の最小移動量の何れかに応じて判断することを特徴とする請求項６に記載のカメラ制御方法。
【請求項１１】
画像の表示領域内で指定された位置に応じてカメラの撮影方向を制御する制御手順と、
前記画像の表示領域内で指定された位置に応じて前記制御手順で前記カメラの撮影方向を制御するか否かを、現在のズーム比率または鏡筒部の最小移動量の何れかに応じて判断する判断手順とをコンピュータに実行させることを特徴とするプログラム。
【請求項１２】
画像の表示領域内で指定された位置に応じてカメラの撮影方向を制御する制御手順と、
前記画像の表示領域内で指定された位置に応じて前記制御手順で前記カメラの撮影方向を制御するか否かを、現在のズーム比率に応じて判断する判断手順とをコンピュータに実行させることを特徴とするプログラム。
【手続補正２】
【補正対象書類名】明細書
【補正対象項目名】０００９
【補正方法】変更
【補正の内容】
【０００９】
本発明は、画像の表示領域内で指定された位置に応じてカメラの撮影方向を制御する制御手段と、前記画像の表示領域内で指定された位置に応じて前記制御手段により前記カメラの撮影方向を制御するか否かを、現在のズーム比率または鏡筒部の最小移動量の何れかに応じて判断する判断手段とを有する。
【手続補正３】
【補正対象書類名】明細書
【補正対象項目名】００１０
【補正方法】変更
【補正の内容】
【００１０】
本発明によれば、画像の表示領域内の位置を指定してカメラ制御を行う場合に、違和感を与えることのない快適なカメラ操作を提供することが可能となる。
【手続補正４】
【補正対象書類名】明細書
【補正対象項目名】００２４
【補正方法】変更
【補正の内容】
【００２４】
また、しきい値は、撮像装置１００における記憶装置１５０あるいは画像表示装置２００における記憶装置２３０に格納されていることを想定している。例えば、しきい値を「１」と定めるならば、最小移動量が０.１度の場合、ズーム倍率１０倍を超えてしまうと、Ｓ５０３の比較結果が「ＹＥＳ」となるのでＳ５０４に進み、画像位置指定によるカメラ制御を無効とする。
また、ズーム倍率が１０倍を下回る場合は、Ｓ５０３の比較結果が「ＮＯ」となるのでＳ５０５に進み、画像位置指定によるカメラ制御を有効とする。なお、パラメータ自体はズーム倍率のみで構成されても、最小移動量で構成されてもよい。Ｓ５０４またはＳ５０５の処理が終了すると、Ｓ５０６において、カメラから切断されたか否かを判断し、切断されていない場合にはＳ５０２に戻り、切断されていた場合にはエンドとなる。
【手続補正５】
【補正対象書類名】明細書
【補正対象項目名】００３８
【補正方法】変更
【補正の内容】
【００３８】
この状態は、図９における９０５に該当する。画像表示画面９０１においてポインタ９０２の位置をユーザーが指定すると、指定位置が中央となるようにカメラが制御され、全体画像が更新される。また、全体画像における切り出し位置を示すズーム領域表示枠９０６も中央に変更される。
以上、制御可否パラメータにより切り出し位置のみを変更するのか、カメラ制御を伴う切り出し位置変更を行うのかを判断することで、ユーザーが所望する画像を提供できる。
また、前述した実施形態においては、撮像装置１００と画像表示装置２００をネットワーク１０を介して接続した例を説明したが、撮像装置１００と画像表示装置２００は一体的に構成してもよく、制御線を介して接続して構成してよい。
【手続補正６】
【補正対象書類名】図面
【補正対象項目名】図９
【補正方法】変更
【補正の内容】
【図９】
2014007662.tif 000001